【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
第１の領域の一部である第２の領域に対応する部分画像に係る画像信号、及び前記第１の領域に対応する画像であって前記部分画像より低解像度の全体画像に係る画像信号を撮像素子から読み出す読み出し手段と、
前記読み出し手段により読み出された画像信号を用いて信号処理を行う処理手段とを備え、
前記処理手段は、前記全体画像に係る画像信号として読み出された画素加算された画素行の画像信号と、前記全体画像に係る画像信号として読み出された画素加算がされない画素行の画像信号とを用いて前記全体画像を作成することを特徴とする撮像装置。
【請求項２】
第１の領域の一部である第２の領域に対応する部分画像に係る画像信号、及び前記第１の領域に対応する画像であって前記部分画像より低解像度の全体画像に係る画像信号を撮像素子から読み出す読み出し手段と、
前記読み出し手段により読み出された画像信号を用いて信号処理を行う処理手段とを備え、
前記処理手段は、前記部分画像に係る画像信号と、前記全体画像に係る画像信号のうち画素加算がされない画素行の画像信号とを用いて前記部分画像を作成することを特徴とする撮像装置。
【請求項３】
前記全体画像に係る画像信号と前記部分画像に係る画像信号は、異なる撮像フレームで時系列に読み出されることを特徴とする請求項１又は２記載の撮像装置。
【請求項４】
前記全体画像に係る画像信号の画素加算がされない画像信号が読み出される画素行は、前記全体画像及び前記部分画像にともに含まれる画素行であることを特徴とする請求項１記載の撮像装置。
【請求項５】
前記処理手段は、前記全体画像に係る画像信号の前記画素加算された画素行の画像信号と、前記全体画像に係る画像信号の前記画素加算がされない画素行の画像信号とを同一の解像度の画像信号に変換することを特徴とする請求項１記載の撮像装置。
【請求項６】
第１の領域の一部である第２の領域に対応する部分画像に係る画像信号、及び前記第１の領域に対応する画像であって前記部分画像より低解像度の全体画像に係る画像信号を撮像素子から読み出す読み出し手段と、
前記読み出し手段により読み出された画像信号を用いて前記全体画像及び前記部分画像を作成する処理手段とを備え、
前記処理手段は、前記全体画像に係る画像信号として読み出された画素加算された画素行の画像信号と前記全体画像に係る画像信号として読み出された画素加算がされない画素行の画像信号とを用いて前記全体画像を作成し、前記部分画像に係る画像信号と前記全体画像に係る画像信号のうち前記画素加算がされない画素行の画像信号とを用いて前記部分画像を作成することを特徴とする撮像装置。
【請求項７】
前記処理手段は、前記読み出し手段により読み出された前記全体画像に係る画像信号のうちの前記画素加算がされない画素行の画像信号を記憶する記憶手段を有することを特徴とする請求項６記載の撮像装置。
【請求項８】
前記処理手段は、前記全体画像に係る画像信号の前記画素加算がされない画素行の画像信号を、前記全体画像に係る画像信号の前記画素加算された画素行の画像信号と同一の解像度に変換して前記全体画像を作成することを特徴とする請求項６又は７記載の撮像装置。
【請求項９】
第１の領域の一部である第２の領域に対応する部分画像に係る画像信号、及び前記第１の領域に対応する画像であって前記部分画像より低解像度の全体画像に係る画像信号を撮像素子から読み出す読み出し工程と、
前記読み出し工程で読み出された画像信号を用いて前記全体画像及び前記部分画像を作成する処理工程とを備え、
前記処理工程では、前記全体画像に係る画像信号として読み出された画素加算された画素行の画像信号と前記全体画像に係る画像信号として読み出された画素加算がされない画素行の画像信号とを用いて前記全体画像を作成し、前記部分画像に係る画像信号と前記全体画像に係る画像信号のうち前記画素加算がされない画素行の画像信号とを用いて前記部分画像を作成することを特徴とする撮像方法。
【請求項１０】
画素加算した画像信号が読み出される画素行と画素加算せずに画像信号が読み出される画素行の両方を含む領域の画像信号を撮像素子から読み出す読み出し手段と、
前記読み出し手段により読み出された画素加算する画素行の画像信号と画素加算しない画素行の画像信号を用いて前記領域に対応する画像を作成する処理手段とを備えることを特徴とする撮像装置。
【請求項１１】
前記処理手段は、前記画素加算する画素行の画像信号と、前記画素加算しない画素行の画像信号とを同一の解像度の画像信号に変換して画像を作成することを特徴とする請求項１０記載の撮像装置。
【請求項１２】
前記処理手段は、前記読み出し手段により読み出された前記画素加算しない画素行の画像信号を記憶する記憶手段を有することを特徴とする請求項１０又は１１記載の撮像装置。
【請求項１３】
画素加算した画像信号が読み出される画素行と画素加算せずに画像信号が読み出される画素行の両方を含む領域の画像信号を撮像素子から読み出す読み出し工程と、
前記読み出し工程で読み出された画素加算する画素行の画像信号と画素加算しない画素行の画像信号を用いて前記領域に対応する画像を作成する処理工程とを備えることを特徴とする撮像方法。
【手続補正２】
【補正対象書類名】明細書
【補正対象項目名】０００９
【補正方法】変更
【補正の内容】
【０００９】
本発明に係る撮像装置は、撮像素子が出力可能な最高解像度より低解像度の全体画像に係る画像信号、及び当該全体画像より高解像度の部分画像に係る画像信号を前記撮像素子から読み出す読み出し手段と、前記読み出し手段により読み出された画像信号を用いて信号処理を行う処理手段とを備え、前記処理手段は、前記全体画像に係る画像信号として読み出された画素加算された画素行の画像信号と画素加算がされない画素行の画像信号とを用いて前記全体画像を作成することを特徴とする。
本発明に係る撮像装置は、撮像素子が出力可能な最高解像度より低解像度の全体画像に係る画像信号、及び当該全体画像より高解像度の部分画像に係る画像信号を前記撮像素子から読み出す読み出し手段と、前記読み出し手段により読み出された画像信号を用いて信号処理を行う処理手段とを備え、前記処理手段は、前記部分画像に係る画像信号と、前記全体画像に係る画像信号のうち画素加算がされない画素行の画像信号とを用いて前記部分画像を作成することを特徴とする。
本発明に係る撮像装置は、撮像素子が出力可能な最高解像度より低解像度の全体画像に係る画像信号、及び当該全体画像より高解像度の部分画像に係る画像信号を前記撮像素子から読み出す読み出し手段と、前記読み出し手段により読み出された画像信号を用いて前記全体画像及び前記部分画像を作成する処理手段とを備え、前記処理手段は、前記全体画像に係る画像信号として読み出された画素加算された画素行の画像信号と画素加算がされない画素行の画像信号とを用いて前記全体画像を作成し、前記部分画像に係る画像信号と前記全体画像に係る画像信号のうち前記画素加算がされない画素行の画像信号とを用いて前記部分画像を作成することを特徴とする。
本発明に係る撮像方法は、撮像素子が出力可能な最高解像度より低解像度の全体画像に係る画像信号、及び当該全体画像より高解像度の部分画像に係る画像信号を前記撮像素子から読み出す読み出し工程と、前記読み出し工程で読み出された画像信号を用いて前記全体画像及び前記部分画像を作成する処理工程とを備え、前記処理工程では、前記全体画像に係る画像信号として読み出された画素加算された画素行の画像信号と画素加算がされない画素行の画像信号とを用いて前記全体画像を作成し、前記部分画像に係る画像信号と前記全体画像に係る画像信号のうち前記画素加算がされない画素行の画像信号とを用いて前記部分画像を作成することを特徴とする。
本発明に係る撮像装置は、画素加算した画像信号が読み出される画素行と画素加算せずに画像信号が読み出される画素行の両方を含む領域の画像信号を撮像素子から読み出す読み出し手段と、前記読み出し手段により読み出された画素加算する画素行の画像信号と画素加算しない画素行の画像信号を用いて前記領域に対応する画像を作成する処理手段とを備えることを特徴とする。
本発明に係る撮像方法は、画素加算した画像信号が読み出される画素行と画素加算せずに画像信号が読み出される画素行の両方を含む領域の画像信号を撮像素子から読み出す読み出し工程と、前記読み出し工程で読み出された画素加算する画素行の画像信号と画素加算しない画素行の画像信号を用いて前記領域に対応する画像を作成する処理工程とを備えることを特徴とする。
【手続補正３】
【補正対象書類名】明細書
【補正対象項目名】００１０
【補正方法】変更
【補正の内容】
【００１０】
本発明によれば、全体画像に係る画像信号として読み出された画素加算された画素行の画像信号と、全体画像に係る画像信号として読み出された画素加算がされない画素行の画像信号を画素加算して得られた画像信号とにより全体画像を作成する。これにより、単一画素からの画像信号で全体画像を作成する場合と比較してモアレ等の発生を低減し、全体画像の画質低下を抑制することができる。